【手続補正書】
【提出日】平成26年1月22日(2014.1.22)
【手続補正１】
【補正対象書類名】特許請求の範囲
【補正対象項目名】全文
【補正方法】変更
【補正の内容】
【特許請求の範囲】
【請求項１】
環状のヨーク部及びこのヨーク部の内周に径方向内側へ突出するティース部からなりヨーク部の外周縁が環状部材の内周面に取り付けられたモーターのステーター・コアであって、
前記ヨーク部は、前記環状部材から径方向内側へ押圧力を受けて変位した変位部と、この変位部の変位に応じ変形して引張応力を発生させ前記ティース部との間で磁束を通す引張応力域を形成し、又は前記環状部材からの押圧力で発生する圧縮応力を相殺した変形部とを有し、
前記変位部は、前記ヨーク部の前記環状部材への取り付け前に前記取り付けられた後の環状部材の内周面の内径寸法よりも径方向外側へ突出し、前記ヨーク部の前記環状部材への締め代を持った取り付けにより前記変位を行って、周方向に隣接する各変位部が周方向に強く当接するように形成され、
前記変形部に、前記引張応力を発生させた、
ことを特徴とするモーターのステーター・コア。
【請求項２】
請求項1記載のモーターのステーター・コアであって、
前記ヨーク部での内外周に渡る分割により周方向複数に分割され前記変位部及び変形部を備えたヨーク部構成部を前記ティース部外径側に有するステーター・コア分割体を有し、
前記取り付け前に前記各ステーター・コア分割体を前記各分割による分割縁相互を周方向に対向させて環状に配置して前記締め代を持った取り付けを行った、
ことを特徴とするモーターのステーター・コア。
【請求項３】
請求項２記載のモーターのステーター・コアであって、
前記各ステーター・コア分割体は、前記各分割で周方向へ形成した径方向外内のアウター部及びインナー部を有し、
前記アウター部を、前記ヨーク部構成部の周方向一側に沿って突出するように配置し、
前記インナー部を、前記アウター部よりも内径側で前記ヨーク部構成部の周方向他側に沿って突出するように配置し、
前記アウター部の径方向外縁側は、前記変位部として前記ヨーク部の前記環状部材への取り付け前に前記径方向外側への突出を行わせ、
前記アウター部の径方向内縁側は、前記変形部として前記ヨーク部の前記環状部材への取り付け前に前記インナー部の径方向外縁との間に隙間を有し、
前記ヨーク部の前記環状部材への締め代を持った取り付けにより前記変位部の変位及び前記変形部の変形を行わせた、
ことを特徴とするモーターのステーター・コア。
【請求項４】
請求項１〜３の何れかに記載のモーターのステーター・コアであって、
前記環状に配置した各ステーター・コア分割体間に、一方のステーター・コア分割体の変形部を他方のステーター・コア分割体に係合させて前記変形の起因とする係合部を設けた、
ことを特徴とするモーターのステーター・コア。
【請求項５】
請求項４記載のモーターのステーター・コアであって、
前記係合部は、前記各アウター部間に設けられた凹凸部、又は前記各アウター部間に設けられ前記各アウター部の先端を前記各アウター部の基部側に当接させつつ径方向外側へのずれを許容する傾斜面である、
ことを特徴とするモーターのステーター・コア。
【請求項６】
請求項３記載のモーターのステーター・コアであって、
前記取り付け前に環状に配置したヨーク部構成部の各インナー部は、前記各ティース部との間に周方向の隙間を有し前記環状部材への取り付けにより隙間なく対向して圧縮応力零の状態又は前記アウター部の外径側に圧縮応力が発生したときは外径側よりも圧縮応力が小さい状態となる、
ことを特徴とするモーターのステーター・コア。
【請求項７】
請求項２記載のモーターのステーター・コアであって、
前記各ヨーク部構成部は、径方向外縁から径方向の中間部まで形成されたスリットとこのスリット及びヨーク部構成部の隣接間に回転部とを備え、
前記環状部材への取り付け前に前記スリットの周方向への開き状態により前記各ヨーク部構成部の径方向外縁の一部は、前記変位部として前記突出を行ない、
前記環状部材への取り付け前に前記スリットの周方向への開き状態により前記回転部は、周方向に隣接する回転部との間で前記スリットに対応した隙間を形成する回転前の状態となり、
前記環状部材への取り付けにより前記スリットによる前記変位部の変位を行わせ、前記スリット及び隙間を閉じるように前記回転部を回転させて前記変形部の変形を行わせた、
ことを特徴とするモーターのステーター・コア。
【請求項８】
請求項７記載のモーターのステーター・コアであって、
前記環状に配置した各ステーター・コア分割体間に、前記一方の回転部を他方の回転部に係合させて前記回転の起因とする係合部を設けた、
ことを特徴とするモーターのステーター・コア。
【請求項９】
請求項１記載のモーターのステーター・コアであって、
前記ヨーク部は、周方向に連続したリング状である、
ことを特徴とするモーターのステーター・コア。
【請求項１０】
請求項９記載のモーターのステーター・コアであって、
前記ヨーク部は、径方向外内のアウター部及びインナー部を有し、
前記アウター部は、前記ヨーク部構成部の周方向一側に沿って突出するように配置し、
前記インナー部は、周方向に連続したリング状であり、
前記アウター部の径方向外縁側は、前記変位部として前記ヨーク部の前記環状部材への取り付け前に前記径方向外側への突出を行わせ、
前記アウター部の径方向内縁側は、前記変形部として前記ヨーク部の前記環状部材への取り付け前に前記インナー部との間に隙間を有し
前記ヨーク部の前記環状部材への締め代を持った取り付けにより前記変位部の前記変位及び前記変形部の変形を行わせた、
ことを特徴とするモーターのステーター・コア。
【請求項１１】
請求項１０記載のモーターのステーター・コアであって、
前記各アウター部の周方向一側先端が隣接する各アウター部の周方向他側先端に強く当接するように形成し、
前記インナー部に、引張応力を発生させた、
ことを特徴とするモーターのステーター・コア。
【請求項１２】
請求項２〜８の何れか1項記載のモーターのステーター・コアを製造するためのステーター・コア製造方法であって、
前記変位部及び変形部を備える複数のステーター・コア分割体を加工する分割体加工工程と、
前記複数のステーター・コア分割体を前記各分割縁の周方向での対向により環状に配置し前記環状部材の内周面に径方向内側への締め代を持って取り付け前記変位部の変位による前記変形部の変形を行わせる組付け工程と、
を備えたことを特徴とするステーター・コア製造方法。
【請求項１３】
請求項９〜１１記載のモーターのステーター・コアを製造するためのステーター・コア製造方法であって、
前記変位部及び変形部を備え前記環状部材への取り付け前のリング状のステーター・コアを形成するコア加工工程と、
前記ステーター・コアを前記環状部材の内周に径方向内側への締め代を持って取り付け前記変位部の変位による前記変形部の変形を行わせる組付け工程と、
を備えたことを特徴とするステーター・コア製造方法。
【請求項１４】
請求項１２又は１３記載のステーター・コア製造方法であって、
前記環状部材への取り付けは、焼きバメである、
ことを特徴とするステーター・コア製造方法。
【手続補正２】
【補正対象書類名】明細書
【補正対象項目名】００１４
【補正方法】変更
【補正の内容】
【００１４】
本発明は、磁気特性をより向上可能とするため、環状のヨーク部及びこのヨーク部の内周に径方向内側へ突出するティース部からなりヨーク部の外周縁が環状部材の内周面に取り付けられたモーターのステーター・コアであって、前記ヨーク部は、前記環状部材から径方向内側へ押圧力を受けて変位した変位部と、この変位部の変位に応じ変形して引張応力を発生させ前記ティース部との間で磁束を通す引張応力域を形成し、又は前記環状部材からの押圧力で発生する圧縮応力を相殺した変形部とを有し、前記変位部は、前記ヨーク部の前記環状部材への取り付け前に前記取り付けられた後の環状部材の内周面の内径寸法よりも径方向外側へ突出し、前記ヨーク部の前記環状部材への締め代を持った取り付けにより前記変位を行って、周方向に隣接する各変位部が周方向に強く当接するように形成され、前記変形部に、前記引張応力を発生させたことを特徴とする。